(57)【要約】【課題】発光部がかなり目立ち、発光部を餌となる魚等の模様のように見せることができ、一つの蓄光粒当りの発光時間を長くでき、発光部全体としての発光時間及び発光量を増やせ、イカや魚等をより誘い易くなって、釣果が確実に上がり、構成簡素で、量産に適し、低廉で、経済的な発光する擬似餌を提供する。【解決手段】擬似餌本体１と、擬似餌本体１の後端部に形成する釣針部２と、擬似餌本体１の前端部に形成する釣糸５の取付部４とを備えた擬似餌に於いて、擬似餌本体１の外表面に前後方向に沿うような帯状の発光部３を適数形成し、発光部３は、比較的大きな粒状を呈する多数の蓄光粒３ａによって形成し、多数の蓄光粒３ａは、適宜バインダーを介して擬似餌本体１外表面に密な状態で且つ盛り上げ状に接着して構成する。【選択図】図１
0003150146.tif 000002
【実用新案登録請求の範囲】
【請求項１】
擬似餌本体と、この擬似餌本体の後端部に形成される釣針部と、擬似餌本体の前端部に形成される釣糸の取付部とを備えた擬似餌に於いて、擬似餌本体の外表面に前後方向に沿うような帯状の発光部を適数形成し、この発光部は、比較的大きな粒状を呈する多数の蓄光粒によって形成され、多数の蓄光粒は、適宜バインダーを介して擬似餌本体外表面に密な状態で且つ盛り上げ状に接着されるよう構成したことを特徴とする発光する擬似餌。
【請求項２】
前記擬似餌本体は、魚の形態に模して形成し、前記蓄光粒は、その外径が０．２ｍｍ以上の粒状となるよう形成したことを特徴とする請求項１記載の発光する擬似餌。
【考案の詳細な説明】
【技術分野】
【０００１】
本考案は、主に、イカや魚等を釣る際に使用される擬似餌で、蓄光材を利用した発光部により、イカや魚等を誘い易くして、釣果が確実に上がるように工夫した発光する擬似餌に関するものである。
【背景技術】
【０００２】
従来、この種の蓄光材を利用して発光する擬似餌としては、例えば、特許文献１に示すような擬似餌があり、これには、擬似餌本体の表面に蓄光塗料を塗布する手段が開示されている。
また、特許文献２に示すようなイカ釣り用擬似餌にあっては、棒状本体の所要位置に、棒状本体よりも充分短い寸法に設定した光源体を着脱自在に配設したもので、しかも、光源体を、蓄光顔料を含有したスティックとした手段が開示されている。
【先行技術文献】
【特許文献】
【０００３】
【特許文献１】特開２０００−６０３６４号公報
【特許文献２】特開２０００−３７１５１号公報
【考案の概要】
【考案が解決しようとする課題】
【０００４】
ところで、前者の如き擬似餌は、蓄光材として蓄光塗料を利用し、これを擬似餌本体の表面に塗布しただけなので、蓄光材自体の使用量が少なく、蓄光材による発光時間が短い難点があった。特に、かなり深い場所（例えば、水深３００〜４００ｍ）に生息しているイカや魚等を釣る場合にあっては、十分な発光時間が得られない問題点があった。
また、後者の如きイカ釣り用擬似餌にあっては、ある程度の発光時間が得られるようにはなるが、その構成自体が複雑となり、しかも、コスト高となる難点があった。
【０００５】
そこで、本考案は、前述の如き難点等を解消して、十分な発光時間が得られるようにし、しかも、構成が簡素で、量産に適し、低廉で、経済的となり、更に、イカや魚等をより誘い易くして、釣果が確実に上がる発光する擬似餌を提供できるようにすべく案出されたものである。
【課題を解決するための手段】
【０００６】
しかして、前述の如き課題を達成できるようにすべく、請求項１記載の発光する擬似餌にあっては、擬似餌本体１と、この擬似餌本体１の後端部に形成される釣針部２と、擬似餌本体１の前端部に形成される釣糸５の取付部４とを備えた擬似餌に於いて、擬似餌本体１の外表面に前後方向に沿うような帯状の発光部３を適数形成し、この発光部３は、比較的大きな粒状を呈する多数の蓄光粒３ａによって形成され、多数の蓄光粒３ａは、適宜バインダーを介して擬似餌本体１外表面に密な状態で且つ盛り上げ状に接着されるよう構成する手段を採用した。
【０００７】
また、請求項２記載の発光する擬似餌にあっては、前記擬似餌本体１は、魚の形態に模して形成し、前記蓄光粒３ａは、その外径が０．２ｍｍ以上の粒状となるよう形成する手段を採用した。
【考案の効果】
【０００８】
従って、請求項１記載の発光する擬似餌によれば、擬似餌本体１の外表面に前後方向に沿うような帯状の発光部３を適数形成したので、発光部３がかなり目立つようになると共に、発光部３を餌となる魚等の模様のように見せることができるようになり、イカや魚等を誘い易いものとなる。
更に、発光部３は、比較的大きな粒状を呈する多数の蓄光粒３ａによって形成され、多数の蓄光粒３ａは、適宜バインダーを介して擬似餌本体１外表面に密な状態で且つ盛り上げ状に接着されるよう構成したので、一つの蓄光粒３ａ当りの発光時間を長くでき、発光部３全体としての発光時間及び発光量を増やすことができ、イカや魚等をより誘い易くなって、釣果が確実に上がるようになる。
特に、かなり深い場所（例えば、水深３００〜４００ｍ）に生息しているイカや魚等を釣る場合にあっても、十分な発光時間が得られるようになる。
しかも、発光部３を簡単に形成できるようになり、構成簡素で、量産に適し、低廉で、経済的な発光する擬似餌を提供できるようになる。
【０００９】
また、請求項２記載の発光する擬似餌によれば、前記擬似餌本体１は、魚の形態に模して形成するので、イカや魚等をより誘い易くなる。
加えて、前記蓄光粒３ａは、その外径が０．２ｍｍ以上の粒状となるよう形成したので、一つの蓄光粒３ａ当りの発光時間をより長くすることができるようになる。ひいては、発光部３全体としての発光時間及び発光量をより増やすことができるようになり、イカや魚等をより誘い易くなって、釣果が確実に上がるようになる。
【図面の簡単な説明】
【００１０】
【図１】本考案の発光する擬似餌を例示する側面図である。
【図２】本考案の発光する擬似餌を例示する縦断正面図である。
【図３】本考案の他の発光する擬似餌を例示する側面図である。
【図４】本考案の他の発光する擬似餌を例示する縦断正面図である。
【考案を実施するための形態】
【００１１】
以下、本考案を図示例に基づいて説明すると、次の通りである。
本考案の発光する擬似餌は、釣糸５（道糸、幹糸、ハリス）の先端がわ部分に装着されて、主に、イカや魚等を釣る際に使用されるもので、特に、蓄光材を利用した発光部３により、イカや魚等を誘い易くして、釣果が上がるようにしたものである。
具体的には、魚の形態に模して形成される擬似餌本体１と、この擬似餌本体１の後端部に形成される釣針部２と、擬似餌本体１の前端部に形成される釣糸５の取付部４とを備えている。
そして、擬似餌本体１の外表面には、前後方向に沿うような帯状の発光部３を適数形成する。
更に、発光部３は、その外径が０．２ｍｍ以上の比較的大きな粒状を呈する多数の蓄光粒３ａによって形成され、しかも、この多数の蓄光粒３ａは、適宜バインダーを介して擬似餌本体１外表面に密な状態で且つ盛り上げ状に接着されるように構成してある。
【実施例】
【００１２】
前記擬似餌本体１は、例えば、適宜合成樹脂材（或いは、適宜金属材や適宜複合材やその他の材料でも良い。）によって構成され、全体的に魚の形態を模したような（或いは、魚の形態を模したものでなくても良い。）形状に形成されている。尚、擬似餌本体１の具体的構成、形状、寸法、材質等は図示例のものなどに限定されることなく適宜自由に設定、変更できるものである。
【００１３】
前記釣針部２は、例えば、金属製で、擬似餌本体１の後端部に形成されており、イカや魚等の対象魚に応じてこれらに確実に掛かるように構成されたものであれば良い。尚、釣針部２の具体的構成、形状、寸法、材質、数、配設位置等は図示例のものなどに限定されることなく適宜自由に設定、変更できるものである。
【００１４】
前記発光部３は、例えば、擬似餌本体１の外表面に適数形成されると共に、前後方向に沿うような比較的幅広の帯状に形成されている。尚、具体的には、図１や図２に示すように擬似餌本体１の左右の側面部分に於いて上下方向中央部分に夫々設けたり、或いは、図３や図４に示すように擬似餌本体１の下面部分に設けたり、或いは、その他の位置に適数配置することができる。
【００１５】
また、発光部３は、例えば、粉末状に形成された蓄光材を利用して、その外径が０．２ｍｍ以上の粒状となるような蓄光粒３ａを形成し、この多数の蓄光粒３ａを、適宜バインダーを介して、擬似餌本体１外表面に密な状態で配置すると共に、擬似餌本体１外表面から大きく盛り上がるよう接着することにより構成してある。すなわち、一つの蓄光粒３ａ当りの発光時間が長くなるように形成すると共に、発光部３全体の発光時間及び発光量が増すように形成してある。してみれば、かなり深い場所（例えば、水深３００〜４００ｍ）に生息しているイカや魚等を釣る場合でも、発光部３から十分な発光時間が得られることとなる。
ところで、蓄光粒３ａは、例えば、粉末状の蓄光材を適宜加圧することにより粒状に形成され、また、この蓄光粒３ａを擬似餌本体１に接着するバインダーは、例えば、透明なジェル状の接着剤を利用し、これを擬似餌本体１外表面に塗り、この上に多数の蓄光粒３ａを加えることにより、蓄光粒３ａが擬似餌本体１外表面に確実に接着されると共に、蓄光粒３ａ相互も確実に接着され、しかも、多数の蓄光粒３ａを擬似餌本体１外表面から大きく盛り上げた状態に接着させ易いようにしている。
加えて、前記発光部３の外表面部分には、適宜透明なコーティングを発光部３全体を覆うように施しても良い。
尚、発光部３の具体的構成、形状、寸法、材質、数、配設位置、蓄光粒３ａの具体的構成、形状、寸法、材質、数等は図示例のものなどに限定されることなく適宜自由に設定、変更できるものである。
【００１６】
前記取付部４は、例えば、擬似餌本体１の先端がわに穿設した比較的小さな丸孔によって形成されており、この丸孔に釣糸５の先端部分が簡単に且つ確実に固定できるように構成されている。尚、取付部４の具体的構成、形状、寸法、数、配設位置等は図示例のものなどに限定されることなく適宜自由に設定、変更できるものである。
【産業上の利用可能性】
【００１７】
しかして、本考案の発光する擬似餌は、取付部４を介して釣糸５（道糸、幹糸、ハリス）の先端がわ部分に装着され、比較的大きな粒状を呈する多数の蓄光粒３ａによって形成される発光部３が、比較的長い時間発光すると共に、その発光量が増し、発光部３がかなり目立つようになり、視覚的にイカや魚等が誘われ易くなって、釣れるようになる。
【符号の説明】
【００１８】
１      擬似餌本体
２      釣針部
３      発光部
３ａ    蓄光粒
４      取付部
５      釣糸
【図１】
0003150146.tif 000003
【図２】
0003150146.tif 000004
【図３】
0003150146.tif 000005
【図４】
0003150146.tif 000006